(57)【要約】      （修正有）【課題】靴を脱ぐ又は緩める際に、靴紐係止具による靴紐の係止を簡単に解除できるようにする靴紐係止具解除用のストラップを提供する。【解決手段】甲被部２に設けられた複数対の靴紐掛け７、８と、左右一対の靴紐係止具１５と、ストラップ１６と、を備え、靴紐係止具は、係止突起と係止環２０を備え、左右の靴紐掛け７、８に交互に掛けられて後方に延びる靴紐５の左右の部分２７、２８は、それぞれ左右の靴紐係止具に係脱可能に係止され、ストラップ１６は、その下端部３１が靴紐係止具より前方において甲被部に固定され、その上端部にはループ３３が設けられ、ループには、右側および左側の靴紐係止具の係止環２０から後方に延び出る靴紐の左右の部分３６、３７が挿通されている。【選択図】図１
0003223394.tif 000002
【実用新案登録請求の範囲】
【請求項１】
甲被部に設けられた左右複数対の靴紐掛けと、複数対の靴紐掛けより後側に設けられた左右一対の靴紐係止具を備えた靴における甲被部の左右方向中央に取り付けられる靴紐係止具解除用のストラップであって、
ストラップは、帯状であり、その下端部は、左右の靴紐係止具より前方において甲被部に固定されており、その上端部は、折り返されストラップ本体に縫い付けられてループが形成されており、
ループは、右側および左側の靴紐係止具から後方に延び出る靴紐の左右の部分が挿通される構成であることを特徴とする靴紐係止具解除用のストラップ。
【請求項２】
甲被部に設けられた左右複数対の靴紐掛けと、複数対の靴紐掛けより後側に設けられた左右一対の靴紐係止具を備えた靴における甲被部の左右方向中央に取り付けられる靴紐係止具解除用のストラップであって、
左右の靴紐係止具は、それぞれ係止突起と、係止突起に係脱可能に嵌合する係止環と、を備え、
左右の靴紐掛けに交互に掛けられて後方に延びる靴紐の左右の部分は、それぞれ左側および右側の係止環に挿通されており、係止突起に係止環が嵌合すると、係止突起と係止環の間に係止される構成であり、
ストラップは、帯状であり、その下端部は、左右の靴紐係止具より前方において甲被部に固定されており、その上端部は、折り返されストラップ本体に縫い付けられてループが形成されており、
ループは、右側および左側の靴紐係止具の係止環から後方に延び出る靴紐の左右の部分が挿通されている構成であることを特徴とする靴紐係止具解除用のストラップ。
【請求項３】
左右の靴紐係止具より後方において足首部の左右両側の位置に、左右一対の靴紐案内片が設けられており、ループに挿通された靴紐の左右の部分は、それぞれさらに靴紐案内片に挿通される構成であることを特徴とする請求項１又は２に記載の靴紐係止具解除用のストラップ。
【請求項４】
靴紐係止具は、靴紐係止具本体を備え、係止突起は靴紐係止具本体に形成されており、係止環は靴紐係止具本体に枢着されている構成であることを特徴とする請求項１、２又は３に記載の靴紐係止具解除用のストラップ。
【請求項５】
ループを形成するためのストラップの上端部が折り返されている長さは、ストラップの全長の１／６〜１／５であることを特徴とする請求項１、２、３又は４に記載の靴紐係止具用解除ストラップ。
【考案の詳細な説明】
【技術分野】
【０００１】
本考案は、靴紐の緩みを防止するための靴紐係止具を備えた運動靴、登山靴等の靴に取り付けられ、靴紐係止具（シューレスロック）による靴紐の係止を解除するための靴紐係止具解除用のストラップに関するものである。
【背景技術】
【０００２】
従来、靴紐が緩まないようにする、靴紐緊締具を備えた靴が知られている（特許文献１参照）。特許文献１に記載の靴紐緊締具は、締め付け歯に挟まれた靴紐は閉位置でロックされ、開位置で前後に移動可能なように開位置で係合可能に構成される靴紐（２）の緊締具（１）であって、靴紐の引っ張り方向から外れた方向に靴紐を移動させることにより緊締具の開位置での係合が解除可能となることで靴紐がロックされるものである。
【０００３】
また、靴紐の自由端である両端をそれぞれ通して固定する紐留め具を備えた靴が知られている（特許文献２参照）。
【先行技術文献】
【特許文献】
【０００４】
【特許文献１】特表２００７−５１２８８１号公報
【特許文献２】実用新案登録第３０８２３７１号公報
【考案の概要】
【考案が解決しようとする課題】
【０００５】
上記特許文献１に記載の靴紐緊締具は、基部をスライドする摺動部を圧縮バネで付勢して靴紐を緊締する構成であるので、靴紐の留め具としては複数の部品を要し構成が複雑である。
【０００６】
上記特許文献２の紐留め具は、靴紐のズレ等について充分な構造であるのか、明細書の記載からすると具体的な構成は明確ではない。
【０００７】
本考案は、上記従来の問題を踏まえて、靴を履いた状態で靴紐を係止する靴紐係止具を有する靴を脱ぐ又は緩める際に、靴紐係止具による靴紐の係止を簡単に解除できるようにするための靴紐係止具解除用のストラップを実現することを課題とする。
【課題を解決するための手段】
【０００８】
本考案は上記課題を解決するために、甲被部に設けられた左右複数対の靴紐掛けと、複数対の靴紐掛けより後側に設けられた左右一対の靴紐係止具を備えた靴における甲被部の左右方向中央に取り付けられる靴紐係止具解除用のストラップであって、ストラップは、帯状であり、その下端部は、左右の靴紐係止具より前方において甲被部に固定されており、その上端部は、折り返されストラップ本体に縫い付けられてループが形成されており、ループは、右側および左側の靴紐係止具から後方に延び出る靴紐の左右の部分が挿通される構成であることを特徴とする靴紐係止具解除用のストラップを提供する。
【０００９】
本考案は上記課題を解決するために、甲被部に設けられた左右複数対の靴紐掛けと、複数対の靴紐掛けより後側に設けられた左右一対の靴紐係止具を備えた靴における甲被部の左右方向中央に取り付けられる靴紐係止具解除用のストラップであって、左右の靴紐係止具は、それぞれ係止突起と、係止突起に係脱可能に嵌合する係止環と、を備え、左右の靴紐掛けに交互に掛けられて後方に延びる靴紐の左右の部分は、それぞれ左側および右側の係止環に挿通されており、係止突起に係止環が嵌合すると、係止突起と係止環の間に係止される構成であり、ストラップは、帯状であり、その下端部は、左右の靴紐係止具より前方において甲被部に固定されており、その上端部は、折り返されストラップ本体に縫い付けられてループが形成されており、ループは、右側および左側の靴紐係止具の係止環から後方に延び出る靴紐の左右の部分が挿通されている構成であることを特徴とする靴紐係止具解除用のストラップを提供する。
【００１０】
左右の靴紐係止具より後方において足首部の左右両側の位置に、左右一対の靴紐案内片が設けられており、ループに挿通された靴紐の左右の部分は、それぞれさらに靴紐案内片に挿通される構成であることが好ましい。
【００１１】
靴紐係止具は、靴紐係止具本体を備え、係止突起は靴紐係止具本体に形成されており、係止環は靴紐係止具本体に枢着されている構成であることが好ましい。
【００１２】
ループを形成するためのストラップの上端部が折り返されている長さは、ストラップの全長の１／６〜１／５であることが好ましい。
【考案の効果】
【００１３】
本考案によれば、靴を履いた状態で靴紐を係止する靴紐係止具を有する靴を脱ぐ又は緩める際に、ストラップに指をかけて前方に引いて、ストラップの上端のループに挿通した靴紐における、左側の係止環および右側の係止環から後方に延び出る２つの部分を前方に引きだすことが可能となり、この２つの部分を左右外側に引けば、靴紐を、靴紐係止具による係止から簡単に解除することができる。
【図面の簡単な説明】
【００１４】
【図１】本考案に係る靴紐係止具解除用のストラップの実施例を説明する図であり、主にストラップを適用する靴の甲皮部を示す平面図である。
【図２】上記実施例の作用を説明する主に靴の甲皮部を示す平面図である。
【図３】上記実施例の作用を説明する主に靴の甲皮部を示す平面図である。
【図４】上記実施例を説明する図であり、（ａ）は靴の側面図であり、（ｂ）はストラップを靴に取り付ける前の斜視図であり、（ｂ）はストラップの上端（先端）にループを形成した状態を示す側面図である。
【図５】上記実施例に関する靴紐係止具の構成を説明する図であり（ａ）は平面図であり、（ｂ）は側面図であり、（ｃ）は靴紐を係止した状態を示す（ａ）のＡ−Ａ断面図である。
【図６】上記実施例の作用を説明する斜視図であり、（ａ）は靴紐係止具を解除する前の状態を示し、（ｂ）はストラップを前方に引き出した状態を示す図である。
【図７】本考案の構成、作用効果の特徴を比較例と比較して説明する図であり、（ａ）は本考案のストラップを適用した靴の主に甲皮部を示し、（ｂ）は比較例のストラップを適用した靴の主に甲皮部を示し、（ｃ）は比較例の要部の斜視図である。
【図８】上記実施例の具体的な使用に際して、ストラップが上方に突出し邪魔とならないようにする方法を説明する図であり、（ａ）はストラップが上方に突出した状態を示し、（ｂ）、（ｃ）、（ｄ）は、それぞれ上方に突出させないための第１、第２及び第３の方法を説明する図である。
【考案を実施するための形態】
【００１５】
本考案に係る靴紐係止具解除用のストラップを備えた靴を実施するための形態を実施例に基づき図面を参照して、以下説明する。
【実施例】
【００１６】
本考案に係る靴紐係止具解除用のストラップを備えた靴（以下、単に「靴」という。）の実施例を、図１〜図８を参照して、以下説明する。
【００１７】
本明細書及び実用新案登録請求の範囲に記載された考案では、靴のつま先側を前方と言い、靴のかかと側を後方と言い、また、かかと側からつま先側を見て、要するに後方から前方を見て左側を左とし右側を右とする。
【００１８】
本考案に係る靴紐係止具解除用のストラップを取り付ける靴１は、周知の靴と同様に、図１、図４（ａ）等に示すように、左右の甲被部（甲革）２の間を塞ぐように、内側に舌部（通称ベロ、タン等と言う。）３が形成されており、舌部３は、つま先側から足首側にかけて、後方かつ上方に向けて延びるように形成されている。
【００１９】
左右の甲被部２の対向する内側縁部６に、複数対の靴紐掛けが取り付けられている。靴紐掛けは、靴紐５を引っ掛けたり通したりして案内する部材であり、形状、材質は異なるが、例えば、靴紐を挿通する折り返部を有する布製の通し片、靴紐通し金具、金属製の靴紐を引っ掛けるフック、靴紐案内片、靴紐を挿通して掛ける鳩目、ホール等がある。
【００２０】
靴１は、図１及び図４（ａ）等に示すように、甲被部２の前方側に、左右二対の布製の靴紐通し片７が取り付けられ、その後方側に左右二対の靴紐通し金具８が取り付けられている。さらに、足首部１１の上部には、左右に複数のフック１２が取り付けられている。
【００２１】
靴紐５は、図１、図７（ａ）に示すように、左右の靴紐通し片７から左右の靴紐通し金具８に左右交互に通し、さらに、必要に応じて左右のフック１２に掛けて、靴１をはいてから靴紐５を締め付けることが可能である。                  
【００２２】
以上は、靴紐５の取付のための周知の構成であるが、本考案の特徴的な構成は、靴紐係止具１５と、靴紐係止具１５による靴紐５の係止を解除するためのストラップ１６であり、以下、この構成について説明する。
【００２３】
図１〜図４（ａ）、図７（ａ）に示すように、甲被部２の左右における足首側の位置であって、靴紐通し金具８とフック１２の間の位置に、左右一対の靴紐係止具１５が設けられている。靴紐係止具１５は、図５（ａ）〜（ｃ）に示すように、靴紐係止具本体１９と係止環２０とを備えている。
【００２４】
靴紐係止具本体１９は、甲被部２に固定されるものであり、平面視で略楕円状の基板２１と、平面視でＤ字形の係止突起２２と、を有する。基板２１は、左右対となって甲被部２に固定されるが、対となった基板２１における、互いに向き合う側を内端側と言い、その反対側を外端側という。
【００２５】
基板２１の内端側に、係止突起２２が上方に突出するように形成されている。基板２１の外端側にはリベット２３等の手段で係止環２０の取付片２４が固定されている。この取付片２４によって、基板２１における係止突起２２に隣接した位置に、係止環２０が回動可能に取り付けられ（枢着され）ている（図５（ｂ）参照）。
【００２６】
係止環２０は、平面視で係止突起２２と同じＤ字形であるが、その内形は係止突起２２より一回り大きい寸法に形成されている。具体的には、図５（ａ）〜（ｃ）に示すように、係止環２０は係止突起２２に外側から嵌合するとともに、嵌合した際に、係止環２０と係止突起２２の隙間に靴紐５が挟みつけられて係止されるように、係止環２０と係止突起２２の関係的な寸法が決められる。
【００２７】
左右の一対の靴紐係止具１５の後方における足首側面部の左右には、それぞれ図４（ａ）、図７（ａ）に示すように、布片から成る靴紐案内片３０が縫い付けられている。靴紐案内片３０は、靴紐５を挿通する折返し部を有し、靴紐係止具１５の係止環２０を通り後方に延びる靴紐５を挿通して、上方のフック１２に向けて案内するものである。
【００２８】
図１、図７（ａ）に示すように、左側の靴紐係止具１５の係止環２０には、右側前方の靴紐通し金具８から後方に延びてくる靴紐５の部分２７が挿通されて折り返され、靴紐５の部分３６として右側の靴紐案内片３０の方向に延びるように、靴紐５が取り付けられる。
【００２９】
そして、右側の靴紐係止具１５の係止環２０には、左側前方の靴紐通し金具８から後方に延びてくる靴紐５の部分２８が挿通されて折り返され、靴紐５の部分３７として左側の靴紐案内片３０の方向に延びるように、靴紐５が取り付けられる。
【００３０】
本考案の最も特徴的な構成は、靴紐係止具１５による靴紐５の係止を解除し易くするために、布製のストラップ１６である。このストラップ１６は、靴の大きさにもよるが、成人の男女の靴の場合、巾が１ｃｍ程度、長さが１５ｃｍ程度の寸法であり、図４（ｂ）、（ｃ）に示すような長尺状の帯片から形成されている。
【００３１】
ストラップ１６は、図１、図７（ａ）に示すように、その下端部（基端部）３１は、左右の靴紐係止具１５より前方かつ下方において舌部３に縫い付けられて固定されている。ストラップ１６の上端部（先端部）３２は、図４（ｂ）、（ｃ）に示すように、折返し部３４が折り返され、その先端がストラップ１６本体側に縫い付けられ、靴紐５が２本通る程度の大きさのループ３３が形成されている。
【００３２】
折り返し部３２は、例えば、ストラップ１６の全長の１／６〜１／５程度の長さとする。この折返し部３４の長さは、ストラップ１６が、前記のとおり、およそ全長が１５ｃｍ程度とすると、その１／６〜１／５の長さの２．５〜３ｃｍである。
【００３３】
そのような数値の根拠は、そのような折り返し長さにより形成されたループ３３は、靴紐５が２本程度、摺動可能に程よく挿通できるからである。後記するが、靴１に付けられるループ３３は、指を入れて引っ張るようなものではなく、あくまでも、靴紐５を挿通するものである。
【００３４】
ループ３３には、図１、図７（ａ）に示すように、靴紐５における左側の靴紐係止具１５の係止環２０および右側の靴紐係止具１５の係止環２０から後方に延び出る２つの部分３６、３７が挿通されている構成である。
【００３５】
より詳細には、図７（ａ）に示すように、左側の靴紐係止具１５の係止環２０から右側の靴紐案内片３０の方向へ延びる靴紐５の部分３６と、右側の靴紐係止具１５の係止環２０から左側の靴紐案内片３０の方向へ延びる靴紐５の部分３７と、が挿通されている。
【００３６】
なお、ループ３３を通る靴紐５の２つの部分３６、３７に着目すると、靴紐５は２本のように見える（図４（ｃ）参照）が、靴紐５はあくまでも１本であり、その２つの部分がループ３８を挿通しているので、本明細書では「２つの部分」という表現で記載した。以下の記載でも「２つの部分」という表現で記載する。
【００３７】
（作用）
本考案の靴紐係止具解除用のストラップの作用について、靴紐５を緩める場合の操作を中心とした使用方法を通して、以下説明する。
【００３８】
図１、図４（ａ）、図６（ａ）、は、履いていた靴１を脱ぐ際に、靴紐５の結び目を解いて状態を示す。この状態では、靴紐５は、未だ、甲被部２の左右の靴紐通し片７から靴紐通し金具８に、左右交互にジグザグ状に掛けられている。
【００３９】
ところで、図１、図４（ａ）、図６（ａ）、図７（ａ）は、未だ靴紐係止具１５から靴紐５を解除することなく締めている状態を示しているが、靴紐５を締めて使用している状態では、ストラップ１６が図８（ａ）に示すように上方に湾曲状に突出している場合があり、使用者によっては、邪魔であり、見た目も悪いと感じる。
【００４０】
そこで、実際の使用に際しては、図８（ｂ）、（ｃ）、（ｄ）にそれぞれ示す第１の方法、第２の方法、第３の方法によって、ストラップ１６を折り返して、その折り返しストラップ部３８を靴紐５における互いにクロスする部分の下にもぐりこませた状態として使用すればよい。
【００４１】
具体的には、第１の方法は、使用者が靴１を履いて靴紐５を締める際に、図８（ｂ）に示すように、ストラップ１６の基端部３１とループ３３の間の部分を後方に折り返し、この折り返しストラップ部３８を、ループ３３を通る靴紐５の２つの部分３６、３７がクロスする部分より後方側（靴紐５の両端側）の靴紐５の２つの部分３９、４０の下にもぐりこませ、後方に延ばすことである。
【００４２】
そして、靴紐５の２つの部分３９、４０等を締めるときに、折り返しストラップ部３８を靴１の舌部３に対して圧接させる。これによって、折り返しストラップ部３８は、上方に突出しないので邪魔にならず見た目も良い。
【００４３】
第２の方法は、使用者が靴１を履いて靴紐５を締める際に、図８（ｃ）に示すように、ストラップ１６の基端部３１とループ３３の間の部分を後方に折り返し、この折り返しストラップ部３８を、ループ３３を通る靴紐５の２つの部分３６、３７がクロスする部分、及びさらに後方側（靴紐５の両端側）の靴紐５の２つの部分３９、４０等の下にもぐりこませ、後方に延ばすことである。
【００４４】
そして、靴紐５の２つの部分３６、３７及び２つの部分３９、４０等を締めるときに、折り返しストラップ部３８を靴１の舌部３に対して圧接させる。これによって、折り返しストラップ部３８は、上方に突出しないので邪魔にならず見た目も良い。
【００４５】
第３の方法は、第２の方法と同様に、図８（ｄ）に示すように、ストラップ１６の基端部３１とループ３３の間の部分を後方に折り返し、この折り返しストラップ部３８を、ループ３３を通る靴紐５の２つの部分３６、３７がクロスする部分、該クロスする部分より一つ前方の靴紐５の２つの部分２７、２８がクロスする部分、及びさらに後方側（靴紐５の両端側）の靴紐５の２つの部分３９、４０等より下にもぐりこませて後方に延ばすことである。
【００４６】
この第３の方法についても、上記のように下にもぐりこませて、２つの部分２７、２８、靴紐５の２つの部分３６、３７、及びさらに後方側靴紐５の部分３９、４０等を締めるときに、折り返しストラップ部３８を靴１の舌部３に対して圧接させる。これによって、折り返しストラップ部３８は、上方に突出しないので邪魔にならず見た目も良い。
【００４７】
靴紐５において、図１、図７（ａ）に示すように、左側の靴紐係止具１５の係止環２０から右側の靴紐案内片３０の方向へ延びる靴紐５の部分３６と、右側の靴紐係止具１５の係止環２０から左側の靴紐案内片３０の方向へ延びる靴紐５の部分３７、即ち、靴紐５における靴紐係止具１５より後方に延びる２つの部分３６、３７は、自由状態である。
【００４８】
しかし、図１、図７（ａ）に示すように、左右の靴紐通し金具８から出て互いにクロスして後方に延びる靴紐５の左右の部分２７、２８、即ち、左右の靴紐係止具１５より前方の部分２７、２８は、それぞれ靴紐係止具１５の係止環２０と係止突起２２の間に挟みつけられて係止され、拘束されている。
【００４９】
従って、甲被部２の左右の靴紐通し片７から左右の靴紐通し金具８を通り、左右の靴紐係止具１５に至るまでの左右交互にジグザグ状に掛けられている靴紐５の部分は、拘束されている状態であり、緩めることができない。
【００５０】
この状態から靴紐５を緩ませるためには、係止環２０を係止突起２２から外して、靴紐５を靴紐係止具１５の係止から解除する必要がある。
【００５１】
係止環２０を係止突起２２から外すためには、指先で係止環２０を掴んで、係止環２０を係止突起２２から外してもよいが、係止環２０と係止突起２２は密に係合し、外すには固すぎて面倒であり、指先を痛めたりすることもある。
【００５２】
本考案によれば、次のようにストラップ１６を操作することで、係止環２０を係止突起２２から力をあまり要することなく、靴紐５を靴紐係止具１５から簡単にはずすことができる。
【００５３】
図２、図６（ｂ）に示すように、ストラップ１６に指をかけて前方に引く。ストラップ１６を前記した第１、第２又は第３の方法で、靴紐５の下にもぐりこませた場合（図８（ｂ）、（ｃ）、（ｄ）参照）は、もぐらせたストラップ１６を図６（ａ）等に示すよう状態に引き出してから、指をかけて前方に引けばよい。
【００５４】
このようにストラップ１６に指をかけて前方に引くと、図２、図６（ｂ）に示すように、ストラップ１６の上端部３２に形成されているループ３３を前方に引きだすことができる。それによって、ループ３３に挿通した靴紐５における、左側の靴紐係止具１５の係止環２０および右側の靴紐係止具１５の係止環２０から後方に延び出る２つの部分３６、３７を前方に引きだすことができる。
【００５５】
具体的には、左側の靴紐係止具１５の係止環２０からループ３３を通って右側の靴紐案内片３０に延びる靴紐の部分３６と、右側の靴紐係止具１５の係止環２０からループ３３を通って左側の靴紐案内片３０に延びる靴紐５の部分３７は、それぞれ靴紐係止具１５より後方側については拘束されていないので、図２に示すように前方に大きく引き出される。
【００５６】
そして、図３に示すように、前方に引き出した靴紐５の左右における２つの部分３６、３７を、それぞれ手で把持して左右に引くと、左側及び右側の靴紐係止具１５の左右の係止環２０は、左右の係止環２０に通されていた靴紐５の２つの部分３６、３７によって、それぞれ左右外側方向に力が作用するので、左右の係止環２０は係止突起２２から簡単に外れる。その結果、靴紐５は、靴紐係止具１５による係止が解かれるので、自由に引き出して緩めることが可能となる。
【００５７】
以上のとおり、本考案の靴紐係止具解除用のストラップ１６の上記特徴的な構成による操作は、図２、図６（ｂ）に示すように、ループ３３を前方に引きだすことによって、ループ３３に挿通した靴紐５の２つの部分３６、３７を前方に長く引きだすことができる点であり、さらに図３に示すように、前方に長く引きだした靴紐５の左右の２つの部分３６、３７を左右に引くことで靴紐係止具１５による係止が解くことができる点である。
【００５８】
（比較例との比較）
ところで、本考案者は、本考案の想到過程で、比較例として図７（ｂ）に示すような構造の靴紐係止具解除用のストラップ４２を、靴４１に取り付けて検討してみた。この比較例のストラップ４２は、靴紐係止具１５から靴紐５を解除するには、靴紐係止具１５で係止されて拘束されている靴紐５を、直接、引いて解除すればよいという発想に基づくものである。
【００５９】
具体的には、図７（ｂ）に示す靴４１は、本考案のストラップ１６を付けた靴１と共通の構成は同じ符号を付したが、次の構成、作用においては、全く異なる。即ち、比較例の靴４１は、ストラップ４２の上端部４４を舌部３の比較的上部（足首に近い部分）に縫い付けた構成とする。
【００６０】
そして、ストラップ４２の下部に、図４（ｃ）に示すように、指をかけることができるような大きな折り返しループ４３を設け、そのループ４３内に、靴紐係止具１５で係止されて拘束され、靴紐係止具１５から前方の左右の靴紐通し金具８へ延びる靴紐５の２つの部分２７、２８を通通する構成とした。
【００６１】
この比較例では、図４（ｃ）に示すように、ループ４３に指を掛けて上方に引くことで、直接、靴紐５を左右の靴紐係止具１５の係止から解除しようとするものである。しかしながら、本考案者は、ループ４３を引く力が、靴紐５を左右の係止環２０の係止から解除するために有効に作用せず、かなり大きな力でループ４３を引かないと、靴紐係止具１５より靴紐５を解除できないという知見を得た。
【００６２】
この比較例に比べると、本考案のストラップ１６によれば、それほど力を使うことなく簡単に靴紐係止具１５から靴紐１を解除できる。そのようなことを可能とする理由は、本考案のストラップ１６の特に次のような特徴的な構成によるものであり、それを、比較例のストラップ４２と比較して以下、説明する。
【００６３】
（１）本考案のストラップ１６に関しては、ループ３３に挿通した靴紐の２つ部分３６、３７はそれぞれ、靴紐係止具１５で係止されている部分から後方の靴紐案内片３０に向けて延びている部分であって、靴紐係止具１５から後方側については、何からも拘束されていないので、前方に容易に充分引き出せる。
【００６４】
これに対して、比較例のストラップ４２に関しては、ループ４３に挿通した靴紐の２つ部分２７、２８は、靴紐係止具１５で係止されているとともに、前方では靴紐５は靴紐通し金具８と靴紐通し片７に交互の掛けられて締められており、要するに略拘束された構成である。
【００６５】
（２）本考案のストラップ１６は、その下端部３１を、靴１の舌部３における靴紐係止具１５よりの前方かつ下方に縫い付け、ストラップ１６の上端部３２を自由端とし、その上端部３２にループ３３を設けた構成とした。
【００６６】
そのために、ストラップ１６の下端部３１を基端として、ループ３３を、ループ３３に挿通した靴紐５の２つの部分３６、３７とともに、前方に大きく引き出すことが可能となる（図２、図６（ｂ）参照）。
【００６７】
従って、前方に充分な長さだけ引き出した靴紐５の２つの部分３６、３７を、図３に示すように、左右に引くことができ、それによって、靴紐５は左右の係止環２０と係止突起２２の間から解除されるので、靴紐５を効率的に緩めることが可能となる。
【００６８】
なお、ループ３３を前方に引くことで、靴紐５において左右の靴紐係止具１５の係止環２０からそれぞれ後方の部分３６、３７も引き出せるので、靴紐５の全体的な緩め操作も兼ねており、靴紐の緩めを迅速に行うことができる。
【００６９】
これに対して、比較例のストラップ４２は、図７（ｂ）に示すように、その上端部４４を、靴４1の舌部３における靴紐係止具１５よりの後方かつ上方に縫い付け、ストラップ４２の下側に指を掛けられるような大きなループ４３を設け、図７（ｃ）に示すように、ループ４３を上方に引くことで、直接、靴紐係止具１５より靴紐５を解除する構成である。
【００７０】
よって、比較例のストラップ４２は、本考案のストラップ４２と異なり、ループ４３を前方に引いても、靴紐５の２つの部分３６、３７を前方に引き出すようなことはできず、そのため前方に引き出した左右の靴紐５の２つの部分３６、３７を左右に引いて、靴紐係止具１５より靴紐５を解除するような操作はできない。
【００７１】
以上のとおり、本考案の靴紐係止具解除用のストラップ１６は、比較例のストラップ４２とは基本的な技術思想において相違し、ストラップ１６を引いてループ３３を前方に引き出しても、直接、靴紐５を左右の靴紐係止具１５の係止から解除するような力は作用しない。
【００７２】
要するに、ストラップ１６及びその上端に設けられたループ３３自体は、比較例のストラップ４２のように、直接、靴紐５を左右の靴紐係止具１５の係止から解除する手段ではない。
【００７３】
ストラップ１６及びその上端部３２に設けられたループ３３は、繰り返しとなるが、あくまでも、ループ３３を前方に引きだすことによって、ループ３３に挿通した靴紐５の２つの部分３６、２７を前方に引きだす手段であり、前方に引き出した靴紐５の２つの部分３６、３７を、左右に引くことで力を余り入れなくても簡単に靴紐５を左右の靴紐係止具１５の係止から解除することが可能となる。
【００７４】
以上、本考案に係る靴紐係止具解除用のストラップを実施するための形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００７５】
本考案に係る靴紐係止具解除用のストラップは上記のような構成であるから、運動靴、登山靴等のアウトドア用の靴だけでなく、日常履く靴、子供靴等にも適用可能である。
【符号の説明】
【００７６】
１  靴
２  甲被部（甲革）
３  舌部
５  靴紐
６  甲被部の内側縁部
７  靴紐通し片
８  靴紐通し金具
１１  足首部
１２  フック
１５  靴紐係止具
１６  ストラップ
１９  靴紐係止具本体
２０  係止環
２１  基板
２２  係合突起
２３  リベット
２４  取付片
２７  右側前方の靴紐通し金具から後方に延びてくる靴紐の部分
２８  左側前方の靴紐通し金具から後方に延びてくる靴紐の部分
３０  靴紐案内片
３１  ストラップの下端部（基端部）
３２  ストラップの上端部（先端部）
３３  ストラップのループ
３４  折返し部
３６  左側の靴紐係止具から後方に延びる靴紐の部分
３７  右側の靴紐係止具から後方に延びる靴紐の部分
３８  折り返しストラップ部
３９  後方側靴紐の部分
４０  後方側靴紐の部分
４１  比較例のストラップを付けた靴
４２  比較例のストラップ
４３  比較例におけるストラップのループ
４４  比較例のストラップの上端部
【図１】
0003223394.tif 000003
【図２】
0003223394.tif 000004
【図３】
0003223394.tif 000005
【図４】
0003223394.tif 000006
【図５】
0003223394.tif 000007
【図６】
0003223394.tif 000008
【図７】
0003223394.tif 000009
【図８】
0003223394.tif 000010